(57)【要約】【課題】複数種類の機器に対して後付けすることができる。【解決手段】制振部材１は振動する洗濯機１００に設けられた脚部１００Ｋを載置して洗濯機１００の振動を抑制するものである。制振部材１は、載置部材１Ｂ、ケース１Ａ、及び複数の粒状体９０を備えている。載置部材１Ｂは洗濯機１００に設けられた脚部１００Ｋを載置する。ケース１Ａは載置部材１Ｂを収納する。複数の粒状体９０はケース１Ａと載置部材１Ｂとの間に充填されている。【選択図】図１
2019094914.tif 000002
【特許請求の範囲】
【請求項１】
振動する機器に設けられた脚部を載置して前記機器の振動を抑制する制振部材であって、
前記脚部を載置する載置部材と、
前記載置部材を収納するケースと、
前記ケースと前記載置部材との間に充填された複数の粒状体と、
を備えていることを特徴とする制振部材。
【請求項２】
前記粒状体は前記載置部材の下方及び水平方向の領域に充填されていることを特徴とする請求項１に記載の制振部材。
【請求項３】
前記載置部材は下端部に球形状に形成された球形部が設けられていることを特徴とする請求項１又は２に記載の制振部材。
【請求項４】
前記球形部の外周面と前記ケースの内周面との間に設けられ、前記球形部を前記ケースの中央に移動させる方向に弾性力を付与する弾性部材を備えていることを特徴とする請求項３に記載の制振部材。
【発明の詳細な説明】
【技術分野】
【０００１】
本発明は制振部材に関するものである。
【背景技術】
【０００２】
特許文献１は従来の制振部材である洗濯機用ダンパを開示している。この洗濯機用ダンパは、油液及びガスを封入したシリンダ内にピストンが嵌装されて油液中に浸漬している。また、ピストンにはピストンロッドの一端部が連結されている。ピストンロッドは他端部側がロッドガイドに挿通されて外部に突出している。
この洗濯機用ダンパは、洗濯機が備える水槽と筐体との間に連結されている。また、水槽内には回転自在に支持されたドラムが設けられている。この洗濯機用ダンパは、シリンダ側を上に向けて水槽に連結し、ピストンロッドが突出した側を下に向けて筐体の下端部に連結している。これにより、この洗濯機用ダンパはドラムが回転する際に生じる水槽の振動を抑えることができる。
【先行技術文献】
【特許文献】
【０００３】
【特許文献１】特開２００６−３８０６４号公報
【発明の概要】
【発明が解決しようとする課題】
【０００４】
しかし、この洗濯機用ダンパは、洗濯機に取り付けるための構造が洗濯機の水槽と筐体に必要である。このため、この洗濯機用ダンパは特定の取り付け構造を有した洗濯機にしか適用することができない。
【０００５】
本発明は、上記従来の実情に鑑みてなされたものであって、複数種類の機器に対して後付ができる制振部材を提供することを解決すべき課題としている。
【課題を解決するための手段】
【０００６】
本発明の制振部材は振動する機器に設けられた脚部を載置して機器の振動を抑制するものである。
この制振部材は、載置部材、ケース、及び複数の粒状体を備えている。
載置部材は機器に設けられた脚部を載置する。ケースは載置部材を収納する。複数の粒状体はケースと載置部材との間に充填されている。
【０００７】
この制振部材は、機器の振動に伴い機器の脚部が振動すると、脚部が載置された載置部材も振動する。すると、ケースと載置部材との間に充填された複数の粒状体が振動する載置部材によって押圧される。これにより、この制振部材は、粒状体同士の間や、粒状体を充填する空間を形成する面と、この面に当接する粒状体との間に摩擦力が生じる。この制振部材はこうして生じる摩擦力等に基づいて減衰力を生じ、この減衰力によって機器の振動を抑えることができる。つまり、この制振部材は機器の脚部を載置部材に載置するだけで機器の振動を抑えることができる。
【０００８】
したがって、本発明の制振部材は複数種類の機器に対して後付けすることができる。
【０００９】
本発明の制振部材の粒状体は載置部材の下方及び水平方向の領域に充填され得る。この場合、上下方向及び水平方向に載置部材が振動して移動すると、載置部材の下方及び水平方向の領域に充填された複数の粒状体が載置部材によって押圧されてケース内を流動する。これにより、この制振部材は載置部材が上下方向及び水平方向に振動して移動すると粒状体同士の間や、粒状体を充填する空間を形成する面と、この面に当接する粒状体との間に摩擦力が生じ、こうして生じる摩擦力等に基づいて減衰力を生じる。つまり、この制振部材は載置された機器の上下方向及び水平方向の振動を抑えることができる。
【００１０】
本発明の制振部材の載置部材は下端部に球形状に形成された球形部が設けられ得る。この場合、載置部材が上下方向及び水平方向に振動して移動すると、球形部も上下方向及び水平方向に振動して移動する。すると、ケースと載置部材との間に充填された複数の粒状体が載置部材の球形部によって押圧されてケース内を流動する。このとき、球形部の表面に当接する複数の粒状体は、球形部周りに均等に転がりケース内を流動することができる。これにより、この制振部材は載置部材が上下方向及び水平方向に振動しても斑なく減衰力を生じ、機器の振動を抑えることができる。
【００１１】
本発明の制振部材は、球形部の外周面とケースの内周面との間に設けられ、球形部をケースの中央に移動させる方向に弾性力を付与する弾性部材を備え得る。この場合、この制振部材は、載置された機器が振動しなくなり、載置部材が振動しなくなると、弾性部材の弾性力によって載置部材の球形部の位置がケースの中央に移動する。つまり、この制振部材は弾性部材によって、ケースに対する載置部材の球形部の位置が偏った状態で停止することを防止することができる。これにより、この制振部材は、載置部材に載置された機器が次に振動を開始して、載置部材が再び振動を開始した際に、ケースと載置部材の球形部とが接触することなく良好に減衰力を生じ、機器の振動を抑えることができる。
【図面の簡単な説明】
【００１２】
【図１】（Ａ）は実施形態１の制振部材を示す模式図であり、（Ｂ）は（Ａ）におけるＡ−Ａ断面図である。
【図２】実施形態１の制振部材を備えた洗濯機の模式図である。
【図３】実施形態２の制振部材を示す模式図である。
【図４】実施形態２の制振部材を備えた洗濯機の模式図である。
【発明を実施するための形態】
【００１３】
本発明の制振部材を具体化した実施形態１、２について、図面を参照しつつ説明する。
【００１４】
＜実施形態１＞
実施形態１の制振部材１は、図１（Ａ）、（Ｂ）に示すように、ケース１Ａ、載置部材１Ｂ、４つの弾性部材１Ｃ、及び複数の粒状体９０を備えている。
【００１５】
ケース１Ａは底を有した円筒状をなしている。ケース１Ａの開口した開口端部の内側には円筒状をなした円筒面１Ｍが形成されている。また、円筒面１Ｍには円筒面１Ｍの周方向の全体にわたりケースの中心軸の放射方向に拡がる溝１Ｄが形成されている。また、ケース１Ａの円筒面１Ｍとケース１Ａの底との間には球面状をなした球面１Ｋが形成されている。
また、ケース１Ａの溝１Ｄには円盤状をなした閉鎖板１Ｅが設けられている。閉鎖板１Ｅの板厚は、溝１Ｄの上下方向の寸法より僅かに小さい。なお、上下は制振部材１を設置面Ｌに設置して使用状態にした際の上下である（以下同じ。）。閉鎖板１Ｅの外径は溝１Ｄの内径より小さい。円盤状の閉鎖板１Ｅの中央には板厚方向に貫通した貫通孔１Ｌが形成されている。閉鎖板１Ｅは溝１Ｄに対して、ケース１Ａの中心軸の放射方向に移動自在である。ケース１Ａは設置する設置面Ｌに底を当接して設置される。
【００１６】
載置部材１Ｂは円柱状をなした円柱部１Ｆ、及び球形状をなした球形部１Ｇを有している。円柱部１Ｆの上端面の中央には上端面から窪んで形成された挿入部１Ｈが形成されている。また、円柱部１Ｆの上端部には密着部材１Ｊが取り付けられている。密着部材１Ｊは、例えば可撓性を有した合成樹脂やゴム等で形成されている。密着部材１Ｊは円柱部１Ｆの上端面、挿入部１Ｈの内周面、及び挿入部１Ｈの奥の面を覆うように円柱部１Ｆの上端部に取り付けられている。
球形部１Ｇは円柱部１Ｆの下端部に連続して設けられている。つまり、球形状に形成された球形部１Ｇは載置部材１Ｂの下端部に設けられている。球形部１Ｇの中心は円柱部１Ｆの中心軸にある。また、球形部１Ｇの外径は円柱部１Ｆの外径より大きい。
【００１７】
載置部材１Ｂは、球形部１Ｇをケース１Ａに形成された球面１Ｋ内に配置して、円柱部１Ｆを閉鎖板１Ｅの貫通孔１Ｌに挿通し、円柱部１Ｆの上端部側をケース１Ａの外側に突出して配置されている。つまり、ケース１Ａは載置部材１Ｂの円柱部１Ｆの上端部を露出した状態で載置部材１Ｂを収納している。載置部材１Ｂの球形部１Ｇの外周面と、ケース１Ａに形成された球面１Ｋとの間は所定の寸法が設けられている。また、載置部材１Ｂの円柱部１Ｆの外周面と、ケース１Ａに形成された円筒面１Ｍとの間は所定の寸法が設けられている。載置部材１Ｂの円柱部１Ｆは閉鎖板１Ｅの貫通孔１Ｌに対して板厚方向に移動自在である。制振部材１は、ケース１Ａの球面１Ｋ、ケース１Ａの円筒面１Ｍ、ケース１Ａの内側に面した閉鎖板１Ｅの下側の面、及び載置部材１Ｂの外周面に囲まれて充填空間Ｓ１を形成している。
【００１８】
４つの弾性部材１Ｃは円柱状をなしている。各弾性部材１Ｃは、例えばゴムで形成されており弾性を有し、伸縮自在である。各弾性部材１Ｃは球形部１Ｇの外周面とケース１Ａの内周面との間に設けられている。具体的には、各弾性部材１Ｃは円柱状に延びる方向を球形部１Ｇの中心から放射方向に向けて、円柱状の一端面を球形部１Ｇの外周面に連結し、他端面をケース１Ａの球面１Ｋに連結している。また、３つの弾性部材１Ｃのそれぞれの中心軸は、球形部１Ｇの中心から水平方向（水平は図１（Ａ）における左右方向、及び手前奥方向である。以下同じ。）に延び、互いの間の間隔が等間隔に配置されている（図１（Ｂ）参照。）。また、残りの１つの弾性部材１Ｃの中心軸は、球形部１Ｇの中心から鉛直方向に延びて配置されている（図１（Ａ）参照。）。
【００１９】
複数の粒状体９０は球形状をなし所定の硬度を有している。複数の粒状体９０は４つの弾性部材１Ｃが配置された充填空間Ｓ１に所定の粒状体９０の充填率で充填されている。つまり、複数の粒状体９０はケース１Ａと載置部材１Ｂとの間に充填されている。また、複数の粒状体９０は載置部材１Ｂの下方及び水平方向の領域に充填されている。ここで、粒状体９０充填率とは、複数の粒状体９０を充填する空間の容積と粒状体９０の密度とを乗じた値で、粒状体９０の質量を除した値である。
【００２０】
次に、機器である洗濯機１００への制振部材１の取り付け構造について図２を参照しつつ説明する。制振部材１は振動する洗濯機１００に設けられた後述する脚部１００Ｋを載置部材１Ｂに載置して洗濯機１００の振動を抑制するものである。
【００２１】
洗濯機１００は、図２に示すように、ドラム式全自動洗濯機であり、水槽１００Ａ、ドラム１００Ｂ、モータ１００Ｃ、筐体１００Ｄ、及び複数の脚部１００Ｋを備えている。水槽１００Ａ、及びドラム１００Ｂは底を有した円筒状をなしている。ドラム１００Ｂは、水槽１００Ａ内に配置されており、水槽１００Ａに対して回転軸１００Ｅ周りに回転自在に配置されている。また、ドラム１００Ｂには板厚方向に貫通して設けられた複数の貫通孔が形成されている（図示せず。）。水槽１００Ａ及びドラム１００Ｂのそれぞれの中心軸は同軸状であり、鉛直方向に対して所定の角度傾斜している。ドラム１００Ｂには回転軸１００Ｅ及びプーリ１００Ｆが設けられている。回転軸１００Ｅは水槽１００Ａの底を貫通している。プーリ１００Ｆは貫通した回転軸１００Ｅの先端部に連結されている。モータ１００Ｃは駆動軸１００Ｍ及び駆動プーリ１００Ｎを有している。モータ１００Ｃは水槽１００Ａの外周面の下側に設けられている。モータ１００Ｃの駆動プーリ１００Ｎ、及びドラム１００Ｂのプーリ１００Ｆには環状をなしたベルト１００Ｇが掛けられている。ドラム１００Ｂは、駆動された駆動軸１００Ｍの回転力が駆動プーリ１００Ｎ、ベルト１００Ｇ、プーリ１００Ｆ、及び回転軸１００Ｅを介して伝達されて回転する。
【００２２】
筐体１００Ｄは、箱状をなしており、水槽１００Ａやモータ１００Ｃ等を覆っている。筐体１００Ｄには水槽１００Ａが固定されている。
複数の脚部１００Ｋは円柱状をなして筐体１００Ｄの下端から下方向に突出して設けられている。
【００２３】
設置面Ｌに配置された複数の制振部材１のそれぞれに洗濯機１００の各脚部１００Ｋを１つずつ載置する。具体的には、洗濯機１００の各脚部１００Ｋを各載置部材１Ｂの円柱部１Ｆの挿入部１Ｈに挿入する。このとき、挿入部１Ｈの内周面を覆う密着部材１Ｊが脚部１００Ｋの外周面に倣って変形する。これにより、脚部１００Ｋの外周面と挿入部１Ｈの内周面との間の隙間が密着部材１Ｊによって埋められる。こうして制振部材１は、各載置部材１Ｂに各脚部１００Ｋが載置され、遊びなく連結される。
【００２４】
次に、洗濯機１００の各脚部１００Ｋが載置された各制振部材１の動作について説明する。
【００２５】
モータ１００Ｃの駆動によってドラム１００Ｂが水槽１００Ａに対して回転するとドラム１００Ｂが振動する。そして、水槽１００Ａを介してドラム１００Ｂの振動が筐体１００Ｄに伝達し、筐体１００Ｄと共に各脚部１００Ｋ、及び各制振部材１の載置部材１Ｂも振動する。
このとき、載置部材１Ｂはケース１Ａに対して、上下方向、及び水平方向に振動して移動する。また、閉鎖板１Ｅも載置部材１Ｂの円柱部１Ｆと共に、水平方向に溝Ｄ内を振動して移動する。これにより、複数の粒状体９０が充填空間Ｓ１から外側に食み出すことを防止する。
また、４つの弾性部材１Ｃはケース１Ａに対する載置部材１Ｂの位置に応じて伸縮する。これら弾性部材１Ｃは伸縮することによって弾性力が生じる。
【００２６】
充填空間Ｓ１に充填された粒状体９０は、載置部材１Ｂが振動して球面１Ｋと球形部１Ｇとの間隔が狭くなった部分から広くなった部分に向けて充填空間Ｓ１内を流動する。これにより、制振部材１は、粒状体９０同士の間や、充填空間Ｓ１を形成する面と、この面に当接する粒状体９０との間に摩擦力が生じる。制振部材１はこうして生じる摩擦力等に基づいて減衰力を生じ、この減衰力によって洗濯機１００の振動を抑える。
【００２７】
モータ１００Ｃの駆動が停止すると、水槽１００Ａに対するドラム１００Ｂの回転が停止し、ドラム１００Ｂが振動しなくなる。すると、載置部材１Ｂは、伸縮していた４つの弾性部材１Ｃで生じる弾性力と、脚部１００Ｋに掛かる洗濯機１００、洗濯物、及び洗濯水等の重さとが釣り合う位置（中立位置）に移動する（図１（Ａ）、（Ｂ）参照。）。これにより、載置部材１Ｂの球形部１Ｇの中心はケース１Ａの球面１Ｋの中心に近づく。つまり、弾性部材１Ｃは載置部材１Ｂの球形部１Ｇをケース１Ａの中央に移動させる方向に弾性力を付与する。
【００２８】
このように、制振部材１は、洗濯機１００の振動に伴い洗濯機１００の脚部１００Ｋが振動すると、脚部１００Ｋが載置された載置部材１Ｂも振動する。すると、ケース１Ａと載置部材１Ｂとの間に充填された複数の粒状体９０が振動する載置部材１Ｂによって押圧される。これにより、制振部材１は、粒状体９０同士の間や、粒状体９０を充填する充填空間Ｓ１を形成する面と、この面に当接する粒状体９０との間に摩擦力が生じる。制振部材１はこうして生じる摩擦力等に基づいて減衰力を生じ、この減衰力によって洗濯機１００の振動を抑えることができる。つまり、制振部材１は洗濯機１００の脚部１００Ｋを載置部材１Ｂに載置するだけで洗濯機１００の振動を抑えることができる。
【００２９】
したがって、実施形態１の制振部材１は複数種類の機器に対して後付けすることができる。
【００３０】
また、制振部材１の粒状体９０は載置部材１Ｂの下方及び水平方向の領域に充填されている。このため、上下方向及び水平方向に載置部材１Ｂが振動して移動すると、載置部材１Ｂの下方及び水平方向の領域に充填された複数の粒状体９０が載置部材１Ｂによって押圧されてケース１Ａ内を流動する。これにより、制振部材１は載置部材１Ｂが上下方向及び水平方向に振動して移動すると、粒状体９０同士の間や、粒状体９０を充填する充填空間Ｓ１を形成する面と、この面に当接する粒状体９０との間に摩擦力が生じ、こうして生じる摩擦力等に基づいて減衰力を生じる。つまり、制振部材１は載置された洗濯機１００の上下方向及び水平方向の振動を抑えることができる。
【００３１】
また、制振部材１の載置部材１Ｂは下端部に球形状に形成された球形部１Ｇが設けられている。このため、載置部材１Ｂが上下方向及び水平方向に振動して移動すると、球形部１Ｇも上下方向及び水平方向に振動して移動する。すると、ケース１Ａと載置部材１Ｂとの間に充填された複数の粒状体９０が載置部材１Ｂの球形部１Ｇによって押圧されてケース１Ａ内を流動する。このとき、球形部１Ｇの表面に当接する複数の粒状体９０は、球形部１Ｇ周りに均等に転がりケース１Ａ内を流動することができる。これにより、制振部材１は載置部材１Ｂが上下方向及び水平方向に振動しても斑なく減衰力を生じ、洗濯機１００の振動を抑えることができる。
【００３２】
また、制振部材１は、球形部１Ｇの外周面とケース１Ａの球面１Ｋとの間に設けられ、球形部１Ｇをケース１Ａの中央に移動させる方向に弾性力を付与する弾性部材１Ｃを備えている。このため、制振部材１は、載置された洗濯機１００が振動しなくなり、載置部材１Ｂが振動しなくなると、弾性部材１Ｃの弾性力によって載置部材１Ｂの球形部１Ｇの位置がケース１Ａの中央に移動する。つまり、制振部材１は弾性部材１Ｃによって、ケース１Ａに対する載置部材１Ｂの球形部１Ｇの位置が偏った状態で停止することを防止することができる。これにより、制振部材１は、載置部材１Ｂに載置された洗濯機１００が次に振動を開始して、載置部材１Ｂが再び振動を開始した際に、ケース１Ａと載置部材１Ｂの球形部１Ｇとが接触することなく良好に減衰力を生じ、洗濯機１００の振動を抑えることができる。
【００３３】
＜実施形態２＞
実施形態２の制振部材２は、図３に示すように、ケース２Ａ、載置部材２Ｂ、密着部材２Ｊの形状、及び複数の粒状体１９０が弾性を有している点等が実施形態１と相違する。他の構成は実施形態１と同一であり、同一の構成は同一の符号を付し、詳細な説明を省略する。
【００３４】
ケース２Ａは底を有した円筒状をなしている。
載置部材２Ｂは円盤状をなしている。載置部材２Ｂの外径はケース２Ａの内径より僅かに小さい。載置部材２Ｂは、板厚方向を上下方向に向けて、ケース２Ａの上下方向の中間部に位置している。
密着部材２Ｊは円柱状である。密着部材２Ｊは、例えば可撓性を有した合成樹脂やゴム等で形成されている。密着部材２Ｊの円柱状の外径は載置部材２Ｂの外径と同じである。密着部材２Ｊの円柱状の上端面の中央には上端面から下端面に向けて窪んで凹部２Ｋが形成されている。密着部材２Ｊは円柱状の下端面を載置部材２Ｂの平板状の上端面に当接している。載置部材２Ｂ及び密着部材２Ｊはケース２Ａに対して上下方向に移動自在である。
制振部材２は、ケース２Ａの内周面、ケース２Ａの内周面に連続する底の面、及びケース２Ａの内側に面する載置部材２Ｂの下面に囲まれて充填空間Ｓ２を形成している。
複数の粒状体１９０は球形状をなし所定の硬度を有し弾性を有している。複数の粒状体１９０は充填空間Ｓ２に所定の粒状体１９０の充填率で充填されている。
【００３５】
制振部材２は、図４に示すように、洗濯機１００を設置する設置面Ｌにケース２Ａの底を当接して複数が配置される。各制振部材２の密着部材２Ｊの凹部２Ｋには洗濯機１００の各脚部１００Ｋが１つずつ挿入される。
【００３６】
次に、洗濯機１００の脚部１００Ｋが載置された各制振部材２の動作について説明する。
【００３７】
洗濯機１００が振動すると、各脚部１００Ｋ、及び各制振部材２の載置部材２Ｂも振動する。このとき、載置部材２Ｂはケース２Ａの上下方向に振動して移動する。
すると、充填空間Ｓ２に充填された粒状体１９０は載置部材２Ｂによって押圧されて押し潰される度合いが変化する。これにより、制振部材２は、粒状体１９０同士の間や、充填空間Ｓ２を形成する面と、この面に当接する粒状体１９０との間に摩擦力が生じる。制振部材２はこうして生じる摩擦力等に基づいて減衰力を生じ、この減衰力によって洗濯機１００の振動を抑える。
【００３８】
モータ１００Ｃの駆動が停止し、洗濯機１００が振動しなくなると、載置部材２Ｂの位置は、載置部材２Ｂによって押圧されて押し潰されて生じる複数の粒状体１９０の弾性力と、脚部１００Ｋに掛かる洗濯機１００、洗濯物、及び洗濯水等の重さとが釣り合う中立位置に戻る。
【００３９】
このように、制振部材２は、洗濯機１００の振動に伴い洗濯機１００の脚部１００Ｋが振動すると、脚部１００Ｋが載置された載置部材２Ｂも振動する。すると、ケース２Ａと載置部材２Ｂとの間に充填された複数の粒状体１９０が振動する載置部材２Ｂによって押圧される。これにより、制振部材２は、粒状体１９０同士の間や、粒状体１９０を充填する充填空間Ｓ２を形成する面と、この面に当接する粒状体１９０との間に摩擦力が生じる。制振部材２はこうして生じる摩擦力等に基づいて減衰力を生じ、この減衰力によって洗濯機１００の振動を抑えることができる。つまり、制振部材２は洗濯機１００の脚部１００Ｋを載置部材２Ｂに載置するだけで洗濯機１００の振動を抑えることができる。
【００４０】
したがって、実施形態２の制振部材２も複数種類の機器に対して後付けすることができる。
【００４１】
本発明は上記記述及び図面によって説明した実施形態１、２に限定されるものではなく、例えば次のような実施形態も本発明の技術的範囲に含まれる。
（１）実施形態１、２では、制振部材に洗濯機の脚部を載置している例を例示しているが、振動する他の機器の脚部を載置してもよい。
（２）実施形態１では、粒状体は弾性を有していないが、弾性を有した粒状体であってもよい。
（３）実施形態１では、粒状体は弾性を有しておらず、実施形態２では粒状体は弾性を有しているが、弾性を有した粒状体と、弾性を有していない粒状体とを併用してもよい。
（４）実施形態１、２では、粒状体の粒径が一様であったが、複数種類の粒径の粒状体を用いてもよい。
（５）実施形態１、２では、粒状体の外形形状が球形状であったが、楕円形状や、柱状、多面体等の他の形状で形成されていてもよい。また、これらの形状を有した粒状体を複合的に用いてもよい。
【符号の説明】
【００４２】
１Ａ，２Ａ…ケース、１Ｂ，２Ｂ…載置部材、１Ｃ…弾性部材、１Ｇ…球形部、９０，１９０…粒状体、１００…洗濯機（機器）、１００Ｋ…脚部
【図１】
2019094914.tif 000003
【図２】
2019094914.tif 000004
【図３】
2019094914.tif 000005
【図４】
2019094914.tif 000006